(57)【要約】【課題】携帯端末に保存されたデータを、当該携帯端末のサイズを大きくすることなく容易に印刷する。【解決手段】携帯端末に具備されたディスプレイと前面が密着可能な構造であり、ディスプレイと密着した際、ディスプレイを覆う構造を持つ受光部１０１が、ディスプレイから放射された光を受光し、制御部１０３が、プリンタ１００の外部から所定の操作が行われてから、あらかじめ設定された時間が経過するまでの間、受光部１０３を、光を透過させる透過モードとし、それ以外の間は、受光部１０３を、光を遮断させる遮断モードとし、感光紙ユニット１０２に保持された感光紙に、受光部１０１を透過した光が画像として印刷される。【選択図】図１
2012131160.tif 000002
【特許請求の範囲】
【請求項１】
感光紙に印刷を行うプリンタであって、
フラット型の携帯端末に具備されたディスプレイと前面が密着可能な構造であり、該ディスプレイと密着した際、該ディスプレイを覆い、該ディスプレイから放射された光を受光する受光部と、
前記受光部の背面に配置され、前記感光紙を保持する感光紙ユニットと、
当該プリンタの外部から所定の操作が行われてから、あらかじめ設定された時間が経過するまでの間、前記受光部を、光を透過させる透過モードとし、それ以外の間は、前記受光部を、光を遮断させる遮断モードとする制御部とを有するプリンタ。
【請求項２】
請求項１に記載のプリンタにおいて、
前記受光部が前記透過モードであるか前記遮断モードであるかに従って、所定の表示を行う表示部を有することを特徴とするプリンタ。
【請求項３】
請求項１に記載のプリンタにおいて、
当該プリンタの外部から操作可能な入力ボタンを有し、
前記制御部は、前記入力ボタンの押下を検出してから前記あらかじめ設定された時間が経過するまでの間、前記受光部を前記透過モードとすることを特徴とするプリンタ。
【請求項４】
請求項１に記載のプリンタにおいて、
ヒンジを用いて前記携帯端末と接続されていることを特徴とするプリンタ。
【請求項５】
請求項１に記載のプリンタにおいて、
前記感光紙ユニットは、前記感光紙を外部から出し入れ可能な構造であることを特徴とするプリンタ。
【発明の詳細な説明】
【技術分野】
【０００１】
本発明は、プリンタに関し、特に感光紙に印刷を行うプリンタに関する。
【背景技術】
【０００２】
一般的に、携帯端末に保存されているデータ（画像、メモ帳データ、手書きデータ等）を印刷する場合、当該携帯端末をプリンタと接続して印刷するか、当該データをプリンタと接続されているパソコン（パーソナルコンピュータ）等の他の装置へ移した後に、そのプリンタを用いて印刷するかといった方法が用いられている。
【０００３】
しかしながら、この場合、当該携帯端末をプリンタと接続しなければならない。または、当該データをパソコン等へ移す場合は、当該データの紛失等のおそれもある。
【０００４】
そこで、感光紙への印刷機能を具備した携帯電話機（携帯機器）が考えられている（例えば、特許文献１，２参照。）。
【先行技術文献】
【特許文献】
【０００５】
【特許文献１】特開２００５−０５２９７９号公報
【特許文献２】特開２００１−３３０８９３号公報
【発明の概要】
【発明が解決しようとする課題】
【０００６】
しかしながら、上述した技術においては、携帯端末本体のサイズが大きくなってしまうという問題点がある。
【０００７】
本発明の目的は、上述した課題を解決するプリンタを提供することである。
【課題を解決するための手段】
【０００８】
本発明のプリンタは、
感光紙に印刷を行うプリンタであって、
フラット型の携帯端末に具備されたディスプレイと前面が密着可能な構造であり、該ディスプレイと密着した際、該ディスプレイを覆い、該ディスプレイから放射された光を受光する受光部と、
前記受光部の背面に配置され、前記感光紙を保持する感光紙ユニットと、
当該プリンタの外部から所定の操作が行われてから、あらかじめ設定された時間が経過するまでの間、前記受光部を、光を透過させる透過モードとし、それ以外の間は、前記受光部を、光を遮断させる遮断モードとする制御部とを有する。
【発明の効果】
【０００９】
以上説明したように、本発明においては、携帯端末に保存されたデータを、当該携帯端末のサイズを大きくすることなく容易に印刷することができる。
【図面の簡単な説明】
【００１０】
【図１】本発明のプリンタの実施の一形態を示す図である。
【図２】図１に示したプリンタの外観の一例を示す図である。
【図３】図２の破線矢印に示したようにプリンタと携帯端末とを重ね合わせたときの外観の一例を示す図である。
【図４】図２に示した破線Ａ−Ａ'におけるプリンタの断面図である。
【図５】本形態における印刷処理を説明するためのフローチャートである。
【発明を実施するための形態】
【００１１】
以下に、本発明の実施の形態について図面を参照して説明する。
【００１２】
図１は、本発明のプリンタの実施の一形態を示す図である。
【００１３】
本形態におけるプリンタ１００には図１に示すように、受光部１０１と、感光紙ユニット１０２と、制御部１０３と、入力ボタン１０４と、タイマ１０５と、表示部１０６とが設けられている。
【００１４】
受光部１０１は、外部からの光を受光する。また、受光部１０１は、制御部１０３による制御により、光を透過させる透過モードと、光を遮断する遮断モードとの２つのモードで動作する。この透過モードと遮断モードとの２つのモードを実現するには、例えば、受光部１０１に所定の電気信号が送られることにより、受光部１０１を構成する部材の性質を変化させ、光を透過させたり遮断させたりするものであっても良いし、物理的に光を透過させない部材でマスクさせたりさせなかったりするもの（例えば、カメラのシャッター等）であっても良い。
【００１５】
感光紙ユニット１０２は、受光部１０１の背面に配置され、印刷紙である感光紙を保持する。また、感光紙ユニット１０２は、感光紙を外部から出し入れ可能な構造である。
【００１６】
制御部１０３は、プリンタ１００の外部から所定の操作が行われてから、あらかじめ設定された時間が経過するまでの間、受光部１０１を透過モードとし、それ以外の間は受光部１０１を遮断モードとするように、受光部１０１を制御する。
【００１７】
入力ボタン１０４は、外部から操作可能なボタンである。この入力ボタン１０４が押下されたことが制御部１０３にて検出されると、制御部１０３が所定の操作が行われたと判定する。
【００１８】
タイマ１０５は、プリンタ１００の外部から所定の操作が行われた際、つまり本形態においては、入力ボタン１０４が押下されたことが検出された際、起動する時計である。また、タイマ１０５は、起動してからあらかじめ設定された時間が経過すると満了する。この「あらかじめ設定された時間」は、感光紙に光の入射が開始されてから、感光紙への印刷が完了するまでの時間であり、携帯端末のディスプレイからの光出力や感光紙の感度等に応じて、あらかじめ設定されているものである。
【００１９】
表示部１０６は、受光部１０１が透過モードであるか遮断モードであるかに従って、所定の表示を行う。表示部１０６は、受光部１０１が透過モードである場合、印刷中である旨を示す表示を行う。このとき例えば、「印刷中」と表示する。また、表示部１０６は、受光部１０１が遮断モードである場合、印刷が完了した旨を示す表示を行う。このとき例えば、「印刷完了」と表示する。
【００２０】
図２は、図１に示したプリンタ１００の外観の一例を示す図である。
【００２１】
図１に示したプリンタ１００は図２の破線矢印に示すように、フラット型携帯端末（例えば、スマートフォン）である携帯端末２００と重ねた場合、受光部１０１が携帯端末２００に具備されたディスプレイ２０１を覆うような構造となっている。具体的には、受光部１０１が、ディスプレイ２０１全体と密着可能な構造となっている。この構造により、ディスプレイ２０１から放射された光が受光部１０１に入射する。つまり、受光部１０１は、ディスプレイ２０１から放射された光を受光する。
【００２２】
また、図２に示すように、プリンタ１００の側面から感光紙を出し入れできる感光紙ユニット１０２が設けられている。
【００２３】
図３は、図２の破線矢印に示したようにプリンタ１００と携帯端末２００とを重ね合わせたときの外観の一例を示す図である。
【００２４】
図３に示すように、プリンタ１００が携帯端末２００をカバーするように重なっている。このとき、プリンタ１００と携帯端末２００とがかみ合うような構造を具備していても良い。また、プリンタ１００と携帯端末２００とにヒンジを設け、折り畳み携帯端末の２つの筺体のように接続されており、図２に示した開いた状態と図３に示した閉じた状態とで変化させることができるものであっても良い。
【００２５】
また、プリンタ１００の背面には、入力ボタン１０４と、表示部１０６とが配置されている。
【００２６】
図４は、図２に示した破線Ａ−Ａ'におけるプリンタ１００の断面図である。
【００２７】
図４に示すように、プリンタ１００の携帯端末２００側の面を前面、他方の面を背面とする。
【００２８】
プリンタ１００には、前面に受光部１０１が配置されており、プリンタ１００と携帯端末２００とが重なりあったとき、受光部１０１が携帯端末２００のディスプレイ２０１と密着できるようになっている。
【００２９】
また、受光部１０１の背面に感光紙１１０を保持する感光紙ユニット１０２が配置されている。これにより、受光部１０１が透過モードである場合、ディスプレイ２０１に表示された画像が光源として受光部１０１を透過し、感光紙１１０に感光させて、画像を感光紙１１０に印刷することができる。
【００３０】
以下に、本形態における印刷処理について説明する。
【００３１】
図５は、本形態における印刷処理を説明するためのフローチャートである。
【００３２】
まず、制御部１０３によって、入力ボタン１０４が押下されたかどうかが判定される（ステップＳ１）。
【００３３】
入力ボタン１０４が押下されたことが制御部１０３によって検出されると、タイマ１０５が起動する（ステップＳ２）。
【００３４】
また、制御部１０３によって、受光部１０１のモードが透過モードに設定される（ステップＳ３）。これにより、ディスプレイ２０１に表示されている画像が光となって、受光部１０１を透過して、感光紙１１０に印刷される。
【００３５】
また、表示部１０６に、印刷中である旨を示す「印刷中」と表示される（ステップＳ４）。
【００３６】
続いて、タイマ１０５が満了したかどうかが制御部１０３によって判定される（ステップＳ５）。
【００３７】
タイマ１０５が満了したと制御部１０３によって判定されると、制御部１０３によって受光部１０１のモードが遮断モードに設定される（ステップＳ６）。これにより、ディスプレイ２０１の画面表示による光が、受光部１０１にて遮断され、感光紙１１０に届くことはなくなる。
【００３８】
また、表示部１０６に、印刷が完了した旨を示す「印刷完了」と表示される（ステップＳ７）。
【００３９】
以上、感光紙に光が入射し始めてからの時間を計ることにより、印刷が完了したかどうかを決定したが、ほかに印刷が完了したかどうかを判定できるものであれば、それを用いるものであっても良い。例えば、感光紙上の印刷の濃さを測定して、所定の濃さに達した場合、印刷が完了したと判定するものであっても良いし、上述したタイマによる時間測定に加えて、ディスプレイ２０１の画面の明るさを判定材料に用いるものであっても良い。
【００４０】
また、入力ボタン１０４の押下を検出されたときに、受光部１０１を透過モードに設定するものではなく、例えば、受光部１０１とディスプレイ２０１との密着を検知する機構をプリンタ１００に設けておき、当該機構が受光部１０１とディスプレイ２０１との密着を検知したときに、受光部１０１を透過モードに設定してタイマ１０５を起動するものであっても良い。
【００４１】
このように、プリンタ１００が携帯端末２００と密着することにより、ディスプレイ２０１から出力された光を逸らすことなく、より高画質、高彩度画面を再生することができる。また、表示部１０６に「印刷中」や、「印刷完了」を表示することより、プリンタ１００における現在の印刷ステータスを知ることができる。また、プリンタ１００は、携帯端末２００と重ねた状態で保持すれば、携帯端末２００のディスプレイ２０１の保護部材としても役立つ。また、携帯端末２００本体は大きく改造する必要がなく、プリンタ１００を付加することだけで印刷機能を実現することができる。また、プリンタ１００は、発展しているスマートフォンにも対応することができる。
【符号の説明】
【００４２】
１００    プリンタ
１０１    受光部
１０２    感光紙ユニット
１０３    制御部
１０４    入力ボタン
１０５    タイマ
１０６    表示部
１１０    感光紙
２００    携帯端末
２０１    ディスプレイ
【図１】
2012131160.tif 000003
【図２】
2012131160.tif 000004
【図３】
2012131160.tif 000005
【図４】
2012131160.tif 000006
【図５】
2012131160.tif 000007